(57)【要約】【課題】電波オフモードを実行中に一旦電源を切ったとしても、次に電源を入れたときには電波オフモードが維持されているようにする。【解決手段】本発明に係る移動通信端末機の電波オフモード制御装置は、電波オフモードの実行を制御する制御部と、その電波オフモードの制御情報を記憶する記憶部と、を含んで構成され、制御部は、電源投入に伴って、記憶部に記憶されている制御情報を読み出し、該制御情報に基づいて電波オフモードの実行を制御することを特徴とする。【選択図】図２
2007068185.tif 000002
【特許請求の範囲】
【請求項１】
電波オフモードの実行を制御する制御部と、
当該電波オフモードの制御情報を記憶する記憶部と、
を含んで構成され、
前記制御部は、電源投入に伴って、前記記憶部に記憶されている制御情報を読み出し、該制御情報に基づいて電波オフモードの実行を制御することを特徴とする移動通信端末機の電波オフモード制御装置。
【請求項２】
前記制御部は、電波オフモード実行中をユーザに通知する通知情報を表示するよう制御することを特徴とする請求項１記載の移動通信端末機の電波オフモード制御装置。
【請求項３】
前記制御部は、基地局の時間情報を受信してから電波オフモードの実行を制御することを特徴とする請求項１記載の移動通信端末機の電波オフモード制御装置。
【請求項４】
前記制御部は、前記時間情報が所定の時間内に受信されない場合も電波オフモードの実行を制御することを特徴とする請求項３記載の移動通信端末機の電波オフモード制御装置。
【請求項５】
前記制御部は、実行中の電波オフモードを解除したときに待受状態とすることを特徴とする請求項１〜４のいずれか１項に記載の移動通信端末機の電波オフモード制御装置。
【請求項６】
前記記憶部が、電波オフモードが解除されたことを示す制御情報を記憶することを特徴とする請求項５記載の移動通信端末機の電波オフモード制御装置。
【請求項７】
前記制御部は、待受状態で電源が切られた後に電源が投入された場合、前記記憶部に記憶されている制御情報に基づいて、待受状態を設定することを特徴とする請求項６記載の移動通信端末機の電波オフモード制御装置。
【請求項８】
電波オフモードの実行に関する情報を記憶する段階と、
電源が投入されたときに、前記記憶した情報に基づいて電波オフモードの実行を制御する段階と、
を含んで構成されることを特徴とする移動通信端末機の電波オフモード制御方法。
【請求項９】
前記電波オフモードの実行を制御する段階は、
電波オフモード実行中に電源が切られ、その後に電源が投入されたときに、前記記憶した情報に基づいて電波オフモードの実行を制御する段階であることを特徴とする請求項８記載の移動通信端末機の電波オフモード制御方法。
【請求項１０】
前記電波オフモードの実行を制御する段階において、
電源が投入されたときに、基地局の時間情報を受信してから、電波オフモードの実行を制御することを特徴とする請求項８又は請求項９記載の移動通信端末機の電波オフモード制御方法。
【請求項１１】
前記電波オフモードの実行を制御する段階において、
前記時間情報が所定の時間内に受信されない場合にも、電波オフモードの実行を制御することを特徴とする請求項１０記載の移動通信端末機の電波オフモード制御方法。
【請求項１２】
ユーザによる電波オフモード解除操作に従って、電波オフモードを解除するよう制御すると共に該制御情報を記憶する段階をさらに含むことを特徴とする請求項８〜１１のいずれか１項に記載の移動通信端末機の電波オフモード制御方法。
【請求項１３】
前記電波オフモードを解除するよう制御すると共に該制御情報を記憶する段階の後に電源が切られ、その後に電源が投入されると、前記記憶した制御情報に基づいて、待受状態を設定する段階をさらに含むことを特徴とする請求項１２記載の移動通信端末機の電波オフモード制御方法。
【発明の詳細な説明】
【技術分野】
【０００１】
本発明は、移動通信（移動体通信）端末機に関し、特に、自機の電波発信をオフにする電波オフモードの制御装置及び方法に関する。
【背景技術】
【０００２】
近年、携帯電話機などの移動通信端末機に電波オフモードが適用されることによって、ユーザの利便性が向上している。電波オフモードとは、移動通信端末機の電源を切らなければならない状況（飛行機内、優先席付近、あるいは電話に出たくないときなど）で、移動通信端末機の電波発信を遮断する（基地局との通信電波を発しないなど）ことにより、移動通信端末機の電源を切らずにおいて、通信機能（電波を発信する機能）以外のゲームなどの機能を実行可能にするモードである。
【０００３】
図３は、従来の移動通信端末機の電波オフモード制御方法を示すフローチャートである。
【０００４】
図３に示すように、従来の移動通信端末機では、移動通信端末機の電源が入れられると（Ｓ１）、待受状態（アイドルモード）を実行し（Ｓ２）、待受状態においてユーザにより電波オフモードが選択されると（Ｓ３）、電波オフモードを実行する（Ｓ４）。すなわち、従来の移動通信端末機においては、電源投入で必ず待受状態に入り、ユーザによる電波オフモードの選択操作があってから電波オフモードに切り換わる。
【発明の開示】
【発明が解決しようとする課題】
【０００５】
上記のように、電源投入で待受状態に入るようにしてある従来の移動通信端末機は、電波オフモードを設定しているときに電源が切られると、その後に電源が入れられたときには待受状態で立ち上がり、電波オフモードは解除した状態になる。このため、たとえば電波オフモード実行中にバッテリーを交換すると、交換後に電源を入れたときには電波オフモードが解除になって待受状態で立ち上がってしまい、基地局と交信して呼信号を受信し、着信音を鳴らしてしまうといった不具合が生じ得る。
【０００６】
本発明は、このような課題を解決するためになされたもので、電源が切られる前の電波オフモードの設定を、電源投入後に維持できるようにした移動通信端末機の電波オフモード制御方式を提案する。
【課題を解決するための手段】
【０００７】
上記目的を達成するために、本発明に係る移動通信端末機の電波オフモード制御装置は、電波オフモードの実行を制御する制御部と、その電波オフモードの制御情報を記憶する記憶部と、を含んで構成され、前記制御部は、電源投入に伴って、前記記憶部に記憶されている制御情報を読み出し、該制御情報に基づいて電波オフモードの実行を制御することを特徴とする。
【０００８】
また、本発明に係る移動通信端末機の電波オフモード制御方法は、電波オフモードの実行に関する情報を記憶する段階と、電源が投入されたときに、前記記憶した情報に基づいて電波オフモードの実行を制御する段階と、を含んで構成されることを特徴とする。
【発明の効果】
【０００９】
本発明に係る移動通信端末機の電波オフモード制御装置及び方法は、電波オフモードを実行しているときに電源が切れたとしても、その後の電源投入時には、その前に実行していた電波オフモードを維持し得るという効果がある。
【発明を実施するための最良の形態】
【００１０】
以下、電波オフモードを実行しているときに電源が切られる例として、移動通信端末機のバッテリーを交換したときについて、その実施形態を図１及び図２に基づき説明する。
【００１１】
図１は、本発明に係る移動通信端末機の電波オフモード制御装置の構成を示すブロック図である。
【００１２】
図１に示すように、本実施形態の電波オフモード制御装置は、当該移動通信端末機における電波オフモードの実行を制御する制御部１１と、その電波オフモードの制御情報、たとえば、電波オフモードの実行／解除を示すフラグなどの電波オフモードの実行に関する情報を記憶する不揮発性の記憶部１２と、を含む。
【００１３】
制御部１１は、バッテリー交換が終了して移動通信端末機の電源が投入されると、記憶部１２に記憶されている制御情報を読み出し、当該移動通信端末機の電波オフモード実行を制御する。このときに制御部１１は、同制御情報に基づいて電波オフモードを実行する場合には、電波オフモード実行中をユーザに通知するべく、メッセージやアイコンなどの通知情報を表示部１３に表示する。
【００１４】
移動通信端末機の電波オフモードは、移動通信端末機の電源を切らなければならない状況（飛行機内、優先席付近、あるいは電話に出たくないときなど）で、移動通信端末機の電波発信を遮断する（基地局との通信電波を発しないなど）ことにより、移動通信端末機の電源を切らずにおいて、通信機能（電波を発信する機能）以外のゲームなどの機能を実行可能にするモードである。
【００１５】
以下、このように構成された電波オフモード制御装置の制御フローにつき、図２に基づいて説明する。図２は、電波オフモードが実行されている状態で電源が切られた場合における電波オフモード制御方法を示すフローチャートである。
【００１６】
制御部１１は、移動通信端末機を待受状態としているとき（Ｓ１１）に、ユーザにより電波オフモードが選択されてこれを実行するのかどうか監視する（Ｓ１２）。そして、電波オフモードの選択があれば、電波オフモードを実行するように制御すると共に、当該電波オフモードの実行を示す制御情報を記憶部１２に記憶する（Ｓ１３）。
【００１７】
この電波オフモードを実行している最中に、バッテリー交換のために電源が一旦切られ（Ｓ１４）、そして交換終了で電源が投入された場合（Ｓ１５）、制御部１１は、記憶部１２に記憶されている制御情報を読み出すことによって（Ｓ１６）、直前に電波オフモードが実行されていたか否かを確認する。また制御部１１は、現在位置で電波を受信可能な基地局（図示せず）から時間情報を受信する（Ｓ１７）。
【００１８】
電源が投入されて直ぐに電波オフモードを実行して一切の電波送受信を遮断すると、移動通信端末機の時間情報が不正確になる場合がある（バッテリー交換に要した時間が長かったりした場合）。移動通信端末機の時間が大幅に狂うと、ユーザにより設定されているアラーム、スケジューラなどに影響する。従って、基地局から飛ばされている時間情報を受信し自機内時間を修正したうえで電波オフモードを実行するのが好ましい。この例によれば、電波オフモードにある移動通信端末機のバッテリーを交換した場合でも、アラーム、スケジューラなどの機能を正常に保つことができるという効果がある。
【００１９】
ただし、制御部１１は、システムに設定された所定時間（例えば２０〜３０秒）内に時間情報が受信されない場合は、そのまま電波オフモードを実行するようにする。地下鉄や飛行機内など、基地局電波が届いてこない状況があり得るので、この場合は時間情報に関わりなく電波オフモードを実行する。
【００２０】
制御部１１は、時間情報が受信されるか、又は所定時間が経過すると、電波オフモードを実行する（Ｓ１８）。制御部１１は、時間情報を受信できた場合は、ユーザにより設定されているアラーム、スケジューラなどを正常に動作させることができる。
【００２１】
このように、記憶部１２から読み出した制御情報に基づいて電波オフモードを実行した場合の制御部１１は、電波オフモードを実行中であることをユーザに通知するべく、メッセージやアイコンなどの通知情報を表示部１３に表示する。
【００２２】
電波オフモード実行中の制御部１１は、電波オフモードの解除命令を監視しており（Ｓ１９）、ユーザが電波オフモード解除操作を行った場合には、電波オフモードを解除するよう制御する。そして記憶部１２が、電波オフモードが解除されたことを示す制御情報を記憶する（Ｓ２０）。電波オフモードを解除した制御部１１は、待受状態を設定する（Ｓ１１）。このようにして待受状態になった後に電源が切られた場合の制御部１１は、その後の電源投入時、記憶部１２に記憶されている制御情報（解除を示している）に基づいて、移動通信端末機を待受状態（アイドルモード）に設定することができる。
【図面の簡単な説明】
【００２３】
【図１】本発明に係る移動通信端末機の電波オフモード制御装置の構成を示すブロック図。
【図２】本発明に係る移動通信端末機の電波オフモード制御方法を示すフローチャート。
【図３】従来の移動通信端末機の電波オフモード制御方法を示すフローチャート。
【符号の説明】
【００２４】
１１  制御部
１２  記憶部
１３  表示部
【図１】
2007068185.tif 000003
【図２】
2007068185.tif 000004
【図３】
2007068185.tif 000005